(57)【要約】  電池要素が、ラミネートシートからなる外装体内に収容された電池において、外装体に収縮皺が生じることを抑制、防止することが可能で、信頼性の高い電池を提供する。  外装体１４の電池要素１１を収容する収容空間３０を、ラミネートシートを絞り加工することにより形成し、その形状を、開口部３１ａから奥側に向かって、平面面積が徐々に小さくなるようなテーパ形状とし、収容空間の開口部から最も奥側に位置する天面３２の寸法Ａを、積層体４を構成する正極部材１、負極部材２、およびセパレータ３を同一方向についてみた場合における寸法の最も小さいものの、同一方向の寸法Ｘと同等にするとともに、収容空間３０の、開口部３１ａの寸法Ｂを、積層体４を構成する正極部材１、負極部材２、およびセパレータ３を同一方向についてみた場合における寸法の最も大きいものの、同一方向の寸法Ｙと同等にする。
2014091887.tif 000002
【特許請求の範囲】
【請求項１】
正極部材と負極部材とがセパレータを介して互いに対向するように積層された積層体と、電解質とを備えた電池要素と、
前記電池要素が収容される外装体であって、樹脂からなる外側の保護層と、金属からなる中間のガスバリア層と、樹脂からなる内側の接着層とを備えたラミネートシートからなり、前記電池要素が収容される収容空間を備えた外装体と、
前記外装体から外部に引き出された、前記正極部材と導通する正極リード端子および前記負極部材と導通する負極リード端子と
を備えた電池であって、
前記収容空間が、前記ラミネートシートを絞り加工することにより形成され、その開口部から奥側に向かって、平面面積が徐々に小さくなるようなテーパ形状を有しているとともに、
前記収容空間の、前記開口部から最も奥側に位置する天面を平面視した場合における前記天面の寸法が、前記積層体を構成する前記正極部材、前記負極部材、および前記セパレータを同一方向についてみた場合における寸法の最も小さいものの、前記同一方向の寸法と同等であり、
前記収容空間の、前記開口部を平面視した場合における前記開口部の寸法が、前記積層体を構成する前記正極部材、前記負極部材、および前記セパレータを同一方向についてみた場合における寸法の最も大きいものの、前記同一方向の寸法と同等であること
を特徴とする電池。
【請求項２】
前記積層体を構成する前記正極部材、前記負極部材、および前記セパレータのうち、前記寸法の最も小さいものが正極部材であることを特徴とする請求項１記載の電池。
【請求項３】
請求項１の電池において規定されているような収容空間が形成された一対のラミネートシートが、開口部どうしが互いに対向するような態様で組み合わされることにより形成された結合収容空間を有する外装体を備え、前記結合収容空間に前記積層体が収容されていることを特徴とする請求項１または２記載の電池。
【発明の詳細な説明】
【技術分野】
【０００１】
本発明は、正極部材、負極部材、セパレータ、電解質などからなる電池要素が、ラミネートシートを用いて形成された外装体内に収容された構造を有する電池に関する。
【背景技術】
【０００２】
近年、携帯電話、携帯用パーソナルコンピュータなどの携帯用電子機器の電源としてリチウムイオン二次電池などに代表される二次電池が広く用いられるに至っている。【０００３】
ところで、このような二次電池（以下、単に「電池」ともいう）としては、セパレータを介して複数の正極部材と負極部材とが積層された積層体および電解質（電解液）をラミネートシートからなる外装体内に収容するとともに、正極部材および負極部材と導通する正極リード端子および負極リード端子を、外装体から外部に引き出した構造のものが広く用いられている。【０００４】
そのような電池の１つに、図６（ａ），（ｂ）に示すような電池１００がある（特許文献１参照）。
この電池１００は、電池要素１０１がラミネートシート１０２からなる外装体（包材）１０３内に収容されているとともに、リード端子１０４が外装体１０３から外部に引き出された構造を有している。【０００５】
そして、この電池１００は、図６（ａ）に示すように、ラミネートシート１０２の一部１０２ａをあらかじめ外側方向に凸型に形成しておき、電池内部（外装体内部）を減圧して熱シールすることにより、図５（ｂ）に示すように、凸型とした部分１０２ａを大気圧により内側に押圧して反転変形させることにより形成されている。【０００６】
この電池の構成によれば、外装体の反転変形した部分が、ガス発生による内圧の上昇やそれによる外装体の変形などを防止するためのバッファとして機能するため、内圧が上昇しにくく、安全性に優れ、電池特性を長期にわたって安定させることができるとされている。【０００７】
しかしながら、外装体と、その内部に収容された電極積層体との隙間が大きくなり過ぎると、上記反転変形した部分が大気圧に押されて変形し、外装体に多数の収縮皺を発生させる。そして、この収縮皺は、外装体（包材）のクラックや破断を誘発する原因となり、信頼性を著しく損なうことにもつながるという問題点がある。
【先行技術文献】
【特許文献】
【０００８】
【特許文献１】特開２００７−７１１３３号公報
【発明の概要】
【発明が解決しようとする課題】
【０００９】
本発明は、上記課題を解決するものであり、電池要素が、ラミネートシートからなる外装体内に収容された構造を有する電池において、外装体に収縮皺が生じることを抑制、防止することが可能で、安全性に優れ、電池特性を長期にわたって安定させることが可能な電池を提供することを目的とする。
【課題を解決するための手段】
【００１０】
上記課題を解決するために、本発明の電池は、
正極部材と負極部材とがセパレータを介して互いに対向するように積層された積層体と、電解質とを備えた電池要素と、
前記電池要素が収容される外装体であって、樹脂からなる外側の保護層と、金属からなる中間のガスバリア層と、樹脂からなる内側の接着層とを備えたラミネートシートからなり、前記電池要素が収容される収容空間を備えた外装体と、
前記外装体から外部に引き出された、前記正極部材と導通する正極リード端子および前記負極部材と導通する負極リード端子と
を備えた電池であって、
前記収容空間が、前記ラミネートシートを絞り加工することにより形成され、その開口部から奥側に向かって、平面面積が徐々に小さくなるようなテーパ形状を有しているとともに、
前記収容空間の、前記開口部から最も奥側に位置する天面を平面視した場合における前記天面の寸法が、前記積層体を構成する前記正極部材、前記負極部材、および前記セパレータを同一方向についてみた場合における寸法の最も小さいものの、前記同一方向の寸法と同等であり、
前記収容空間の、前記開口部を平面視した場合における前記開口部の寸法が、前記積層体を構成する前記正極部材、前記負極部材、および前記セパレータを同一方向についてみた場合における寸法の最も大きいものの、前記同一方向の寸法と同等であること
を特徴としている。【００１１】
本発明において、「前記開口部から最も奥側に位置する天面を平面視した場合における前記天面の寸法が、前記積層体を構成する前記正極部材、前記負極部材、および前記セパレータを同一方向についてみた場合における寸法の最も小さいものの、前記同一方向の寸法と同等」とは、両寸法がまったく同じ場合に限らず、製造上の公差などを含む概念である。
また、「前記開口部を平面視した場合における前記開口部の寸法が、前記積層体を構成する前記正極部材、前記負極部材、および前記セパレータを同一方向についてみた場合における寸法の最も大きいものの、前記同一方向の寸法と同等」も、両寸法がまったく同じ場合に限らず、製造上の公差などを含む概念である。【００１２】
また、本発明の電池においては、前記積層体を構成する前記正極部材、前記負極部材、および前記セパレータのうち、前記寸法の最も小さいものが正極部材であることが好ましい。【００１３】
このように、積層体を構成する正極部材、負極部材、およびセパレータのうち、正極部材を、寸法の最も小さいものとすることが好ましいのは、充電時に負極上にリチウム金属が析出しにくくなるようにして、正負極間が短絡する懸念を低減する効果が期待できることによる。【００１４】
また、上記本発明の電池において規定されているような収容空間が形成された一対のラミネートシートが、開口部どうしが互いに対向するような態様で組み合わされることにより形成された結合収容空間を有する外装体を備え、前記結合収容空間に前記積層体が収容された構成とすることも可能である。【００１５】
上記構成とすることにより、正極部材、負極部材、およびセパレータを積層してなる積層体の積層数を多くすることが可能になり、電池容量の増大を図ることが可能になる。
【発明の効果】
【００１６】
本発明の電池は、ラミネートシートを絞り加工することにより、外装体（ラミネート包材）の、電池要素が収容される収容空間を形成し、その形状を、開口部から奥側に向かって、平面面積が徐々に小さくなるようなテーパ形状とするとともに、収容空間の、開口部から最も奥側に位置する天面を平面視した場合の寸法を、積層体を構成する正極部材、負極部材、およびセパレータを同一方向についてみた場合における寸法の最も小さいものの、同一方向の寸法と同等とし、かつ、収容空間の、開口部を平面視した場合の寸法を、積層体を構成する正極部材、負極部材、およびセパレータを同一方向についてみた場合における寸法の最も大きいものの、同一方向の寸法と同等となるようにしているので、積層体と外装体の間に余剰の空間が生じないようにして、外装体の変形による皺の発生を抑制、防止することが可能になる。その結果、信頼性の高い電池を提供することが可能になる。
【図面の簡単な説明】
【００１７】
【図１】本発明の一実施形態（実施形態１）にかかる電池の構成を模式的に示す正面要部断面図である。
【図２】本発明の実施形態１にかかる電池を製造する際の、正極部材と負極部材とがセパレータを介して互いに対向するように積層された積層体を外装体の収容空間に収容する前の状態を示す図である。
【図３】本発明の実施形態１にかかる電池を製造する際の、積層体を外装体の収容空間に収容した状態を示す図である。
【図４】本発明の実施形態１にかかる電池の外装体を構成するラミネートシートの構成を示す図である。
【図５】本発明の他の実施形態（実施形態２）にかかる電池の構成を模式的に示す正面要部断面図である。
【図６】従来の電池の構成を示すであり、（ａ）は電池内部（外装体内部）を減圧する前の、外装体の一部が凸型の状態を示す図、（ｂ）は電池内部（外装体内部）を減圧して、凸型とした部分を大気圧により内側に押圧して反転変形させた状態を示す図である。
【発明を実施するための形態】
【００１８】
以下に本発明の実施形態を示して、本発明の特徴とするところをさらに詳しく説明する。
【００１９】
［実施形態１］
図１は本発明の一実施形態（実施形態１）にかかる電池（リチウムイオン二次電池）の構成を模式的に示す本発明の一実施形態（実施形態１）にかかる電池の構成を模式的に示す正面要部断面図、図２は正極部材と負極部材とがセパレータを介して互いに対向するように積層された積層体を外装体の収容空間に収容する前の状態を示す図、図３は積層体を外装体の収容空間に収容した状態を示す図である。
【００２０】
この実施形態１の電池１０は、図１〜３に示すように、外装体１４と、外装体１４の内部に配設された電池要素１１と、外装体１４から引き出された正極リード端子１２および負極リード端子１３とを備えている。
【００２１】
なお、電池要素１１は、図２，３に示すように、正極部材１と負極部材２とをセパレータ３を介して互いに対向するように積層してなる積層体４と、電解質としての電解液（図示せず）とを備えている。
【００２２】
そして、上記正極リード端子１２と、負極リード端子１３とは、例えば集電体（図示せず）を介して、各正極部材１、負極部材２（図２および図３参照）に電気的に接続されている。
【００２３】
また、電池要素１１が収容された外装体１４は、図４に示すように、樹脂（この実施形態１ではポリアミド系樹脂）からなる外側の保護層１５と、金属（この実施形態１ではアルミニウム）からなる中間のガスバリア層１６と、樹脂（この実施形態１ではポリプロピレン樹脂）からなる内側の接着層１７とを積層して一体化したラミネートシート６ａ，６ｂを用いて形成されている（図１）。
【００２４】
すなわち、この実施形態１にかかる電池１０において、外装体１４は一対のラミネートシート６ａ，６ｂを用いて形成されている。そして、外装体１４を構成する一方のラミネートシート６ａは、電池要素１１が収容される収容空間３０となる凹部３１を備えており、他方のラミネートシート６ｂとしては、凹部を備えていない平坦なラミネートシートが用いられている。
【００２５】
そして、ラミネートシート６ａに形成された凹部３１（＝収容空間３０）は、絞り加工により形成されており、その開口部３１ａから奥側に向かって、平面面積が徐々に小さくなるようなテーパ形状を有している。
【００２６】
また、凹部３１（＝収容空間３０）の、開口部３１ａから最も奥側に位置する天面３２を平面視した場合における天面３２の寸法Ａ、言い換えると、図２，３に示す、ラミネートシート６ａの屈曲点Ｐ１，Ｐ２の間隔（＝寸法Ａ）は、積層体４を構成する正極部材１、負極部材２、およびセパレータ３を同一方向についてみた場合における寸法の最も小さいものの、同一方向の寸法Ｘと同等とされている。
【００２７】
なお、この実施形態１では、正極部材１、負極部材２、およびセパレータ３のうち、正極部材１が、図２における寸法Ａが最も小さい部材とされている。
【００２８】
さらに、凹部３１（＝収容空間３０）の、開口部３１ａを平面視した場合における開口部３１ａの寸法Ｂ、言い換えると、図２に示すラミネートシート６ａの屈曲点Ｐ３，Ｐ４の間隔（＝寸法Ｂ）は、積層体４を構成する正極部材１、負極部材２、およびセパレータ３を同一方向についてみた場合における寸法Ｙの最も大きいものの、同一方向の寸法Ｙと同等とされている。
【００２９】
なお、この実施形態１では、負極部材２、およびセパレータ３の両方が寸法Ｙが最も大きい部材とされている。
【００３０】
このように構成された積層体４を、ラミネートシート６ａに形成された凹部３１に収容した場合、図３に示すように、凹部３１（＝収容空間３０）の、天面３２から、開口部３１ａに達するまでの領域では、積層体４を構成する正極部材１、負極部材２、およびセパレータ３のうち、正極部材１の寸法Ｘは、凹部３１（＝収容空間３０）の天面３２の寸法Ａと同等じで、開口部３１ａの寸法Ｂより小さいため、屈曲せずに両端部は平坦な状態で収容される。
【００３１】
一方、負極部材２、およびセパレータ３は、その寸法Ｙが、凹部３１（＝収容空間３０）の開口部３１ａの寸法Ｂと同等で、それより奥側では凹部３１（＝収容空間３０）の寸法より大きいため、両端側（周縁側）が屈曲して凹部３１（＝収容空間３０）に収容されることになる。
【００３２】
このとき、負極部材２、およびセパレータ３の両端側（周縁側）は、凹部３１（＝収容空間３０）のテーパの度合いに応じて徐々に屈曲し、負極部材２、およびセパレータ３は、凹部３１（＝収容空間３０）の側面（内周面）と積層体の側面との間に大きな余剰空間が生じないような態様で、凹部３１（＝収容空間３０）内に収容されることになる。
【００３３】
なお、積層体４を構成する最も下側の層（この実施形態では負極部材２）は、寸法Ｙが開口部３１ａの寸法Ｂと同等であることから、屈曲せずに凹部３１（＝収容空間３０）に収容される。
【００３４】
そして、積層体４を凹部３１（＝収容空間３０）に収容した後、下面側にラミネートシート６ｂを配置し、周縁部を例えば熱溶着の方法で接合して、開口部３１ａを封止する。これにより、図１にその構造を模式的に示すような電池１０が得られる。
【００３５】
なお、電池要素１１を構成する電解質（電解液）は、例えば、ラミネートシート６ｂを接合して開口部３１ａを封止する際に、一部を残して封止された状態の収容空間３０に、電解質（電解液）を注入した後、最終的な封止を行う方法などにより、積層体４とともに収容空間３０内に収容することができる。
【００３６】
このように構成された電池１０においては、上述のように、負極部材２、およびセパレータ３の両端側（周縁側）が、凹部３１（＝収容空間３０）のテーパの度合いに応じて徐々に屈曲し、負極部材２、およびセパレータ３は、凹部３１（＝収容空間３０）の側面（内周面）と積層体の側面との間には大きな余剰空間が生じないような態様で、凹部３１（＝収容空間３０）内に収容されることになるため、積層体４と外装体１４の間に大きな余剰空間が生じないようにすることが可能になる。
【００３７】
その結果、外装体１４が変形して皺（収縮皺）が発生することを抑制、防止して、安全性に優れ、電池特性を長期にわたって安定させることが可能な電池を得ることが可能になる。
【００３８】
また、積層体４を構成する正極部材１、負極部材２、およびセパレータ３のうち、正極部材１を、寸法の最も小さい部材としているので、正極容量を負極容量より小さくして、充電時にリチウム金属が負極上に析出しにくくすることが可能になる。
【００３９】
［実施形態２］
図５は本発明の他の実施形態（実施形態２）にかかる電池の構成を示す図である。
この実施形態２の電池１０Ａは、図５に示すように、外装体１４を構成する一対のラミネートシート６ａ，６ｂのそれぞれに、面対称となるような形状の凹部３１が形成されており、この２つの凹部３１から収容空間（結合収容空間）３０Ａが形成されている。
【００４０】
また、実施形態２の電池１０Ａの結合収容空間３０Ａは、実施形態１の収容空間３０に比べて、厚み方向の寸法が２倍となっており、この収容空間３０Ａには、実施形態１の場合に比べて２倍の積層数を有する積層体が電解質（電解液）とともに収容されている。
なお、図５において図１と同一符号を付した部分は、同一または相当する部分を示している。
【００４１】
なお、ラミネートシート６ａ，６ｂのそれぞれに形成された凹部３１の構成と、積層体の構成の関係、すなわち、上記実施形態１で説明した、
（ａ）天面３２の寸法Ａ、
（ｂ）正極部材１、負極部材２、およびセパレータ３の最も小さいものの寸法Ｘ、
（ｃ）凹部３１（＝収容空間３０）の開口部３１ａ寸法Ｂ、
（ｄ）正極部材１、負極部材２、およびセパレータ３の最も大きいものの寸法Ｙ、
の関係（図２，図３参照）は、上記実施形態１の電池の場合と同様としている。
【００４２】
この実施形態２の電池の場合も、上記実施形態１の電池の場合と同様に、積層体と外装体の間に大きな余剰空間が生じないようにすることが可能になる。その結果、外装体１４が変形して皺（収縮皺）が発生することを抑制、防止して、安全性に優れ、電池特性を長期にわたって安定させることが可能な電池を得ることが可能になる。
【００４３】
また、この実施形態２の電池の場合、その他の点でも上記実施形態１の電池の場合と同様の効果を得ることができる。
【００４４】
なお、上記実施形態１，２では、外装体を一対のラミネートシートを接合することにより形成しているが、１枚のラミネートシートを折り返して、接着層どうしが向かい合うようにして、その周縁部を互いに接合させることにより外装体を形成することも可能である。
【００４５】
また、上記の各実施形態では、外装体１４を構成するラミネートシート６ａ，６ｂとして、ポリアミド系樹脂からなる外側の保護層１５と、アルミニウムからなる中間のガスバリア層１６と、ポリプロピレン樹脂からなる内側の接着層１７とを積層して一体化した構成のものを用いたが、本発明において用いることが可能なラミネートシートはこれに限られるものではなく、外装体を形成したときに、外側層となる保護層（樹脂層）、中間層となるガスバリア層（金属層）、および外側層となる接着層（樹脂層）を備えた種々のラミネートシートを用いることが可能である。
【００４６】
本発明は、さらにその他の点においても上記の各実施形態や変形例に限定されるものではなく、外装体の具体的な形状や構成、特に収容空間の形状や大きさ、電池要素の具体的な構成などに関し、発明の範囲内において、種々の応用、変形を加えることが可能である。
【符号の説明】
【００４７】
１                正極部材
２                負極部材
３                セパレータ
４                積層体
６ａ，６ｂ        ラミネートシート
１０，１０Ａ      電池
１１              電池要素
１２              正極リード端子
１３              負極リード端子
１４              外装体
１５              外側の保護層（ポリアミド樹脂層）
１６              ガスバリア層（アルミニウム層）
１７              内側の接着層（ポリプロピレン樹脂層）
３０              収容空間
３０Ａ            収容空間（結合収容空間）
３１              凹部
３１ａ            凹部の開口部
３２              凹部の天面
Ａ                天面の寸法
Ｂ                開口部の寸法
Ｘ      正極部材、負極部材、セパレータのうちの最も小さいものの寸法
Ｙ      正極部材、負極部材、セパレータのうちの最も大きいものの寸法
Ｐ１，Ｐ２        ラミネートシートの天面側屈曲点
Ｐ３，Ｐ４        ラミネートシートの開口部側屈曲点
【図１】
2014091887.tif 000003
【図２】
2014091887.tif 000004
【図３】
2014091887.tif 000005
【図４】
2014091887.tif 000006
【図５】
2014091887.tif 000007
【図６】
2014091887.tif 000008
【手続補正書】
【提出日】平成28年8月9日(2016.8.9)
【手続補正１】
【補正対象書類名】明細書
【補正対象項目名】００１０
【補正方法】変更
【補正の内容】
【００１０】
上記課題を解決するために、本発明の電池は、
正極部材と負極部材とがセパレータを介して互いに対向するように積層された積層体と、電解質とを備えた電池要素と、
前記電池要素が収容される外装体であって、樹脂からなる外側の保護層と、金属からなる中間のガスバリア層と、樹脂からなる内側の接着層とを備えたラミネートシートからなり、前記電池要素が収容される収容空間を備えた外装体と、
前記外装体から外部に引き出された、前記正極部材と導通する正極リード端子および前記負極部材と導通する負極リード端子と
を備えた電池であって、
前記収容空間が、前記ラミネートシートを絞り加工することにより形成され、その開口部から奥側に向かって、平面面積が徐々に小さくなるようなテーパ形状を有しているとともに、
前記収容空間の、前記開口部から最も奥側に位置する天面を平面視した場合における前記天面の寸法が、前記積層体を構成する前記正極部材、前記負極部材、および前記セパレータを平面視した場合における寸法の最も小さいものの、前記天面の寸法を求めた方向と同一方向の寸法と同等であり、
前記収容空間の、前記開口部を平面視した場合における前記開口部の寸法が、前記積層体を構成する前記正極部材、前記負極部材、および前記セパレータを平面視した場合における寸法の最も大きいものの、前記開口部の寸法を求めた方向と同一方向の寸法と同等であること
を特徴としている。
【手続補正２】
【補正対象書類名】明細書
【補正対象項目名】００１１
【補正方法】変更
【補正の内容】
【００１１】
本発明において、「前記開口部から最も奥側に位置する天面を平面視した場合における前記天面の寸法が、前記積層体を構成する前記正極部材、前記負極部材、および前記セパレータを平面視した場合における寸法の最も小さいものの、前記天面の寸法を求めた方向と同一方向の寸法と同等」とは、両寸法がまったく同じ場合に限らず、製造上の公差などを含む概念である。
また、「前記開口部を平面視した場合における前記開口部の寸法が、前記積層体を構成する前記正極部材、前記負極部材、および前記セパレータを平面視した場合における寸法の最も大きいものの、前記開口部の寸法を求めた方向と同一方向の寸法と同等」も、両寸法がまったく同じ場合に限らず、製造上の公差などを含む概念である。
【手続補正３】
【補正対象書類名】明細書
【補正対象項目名】００１６
【補正方法】変更
【補正の内容】
【００１６】
本発明の電池は、ラミネートシートを絞り加工することにより、外装体（ラミネート包材）の、電池要素が収容される収容空間を形成し、その形状を、開口部から奥側に向かって、平面面積が徐々に小さくなるようなテーパ形状とするとともに、収容空間の、開口部から最も奥側に位置する天面を平面視した場合の寸法を、積層体を構成する正極部材、負極部材、およびセパレータを平面視した場合における寸法の最も小さいものの、前記天面の寸法を求めた方向と同一方向の寸法と同等とし、かつ、収容空間の、開口部を平面視した場合の寸法を、積層体を構成する正極部材、負極部材、およびセパレータを平面視した場合における寸法の最も大きいものの、前記開口部の寸法を求めた方向と同一方向の寸法と同等となるようにしているので、積層体と外装体の間に余剰の空間が生じないようにして、外装体の変形による皺の発生を抑制、防止することが可能になる。その結果、信頼性の高い電池を提供することが可能になる。
【手続補正４】
【補正対象書類名】明細書
【補正対象項目名】００２６
【補正方法】変更
【補正の内容】
【００２６】
また、凹部３１（＝収容空間３０）の、開口部３１ａから最も奥側に位置する天面３２を平面視した場合における天面３２の寸法Ａ、言い換えると、図２，３に示す、ラミネートシート６ａの屈曲点Ｐ１，Ｐ２の間隔（＝寸法Ａ）は、積層体４を構成する正極部材１、負極部材２、およびセパレータ３を同一方向についてみた場合（平面視した場合）における寸法の最も小さいものの、天面３２の寸法Ａを求めた方向と同一方向の寸法Ｘと同等とされている。
【手続補正５】
【補正対象書類名】明細書
【補正対象項目名】００２８
【補正方法】変更
【補正の内容】
【００２８】
さらに、凹部３１（＝収容空間３０）の、開口部３１ａを平面視した場合における開口部３１ａの寸法Ｂ、言い換えると、図２に示すラミネートシート６ａの屈曲点Ｐ３，Ｐ４の間隔（＝寸法Ｂ）は、積層体４を構成する正極部材１、負極部材２、およびセパレータ３を同一方向についてみた場合（平面視した場合）における寸法の最も大きいものの、開口部３１ａの寸法Ｂを求めた方向と同一方向の寸法Ｙと同等とされている。
【手続補正６】
【補正対象書類名】特許請求の範囲
【補正対象項目名】全文
【補正方法】変更
【補正の内容】
【特許請求の範囲】
【請求項１】
正極部材と負極部材とがセパレータを介して互いに対向するように積層された積層体と、電解質とを備えた電池要素と、
前記電池要素が収容される外装体であって、樹脂からなる外側の保護層と、金属からなる中間のガスバリア層と、樹脂からなる内側の接着層とを備えたラミネートシートからなり、前記電池要素が収容される収容空間を備えた外装体と、
前記外装体から外部に引き出された、前記正極部材と導通する正極リード端子および前記負極部材と導通する負極リード端子と
を備えた電池であって、
前記収容空間が、前記ラミネートシートを絞り加工することにより形成され、その開口部から奥側に向かって、平面面積が徐々に小さくなるようなテーパ形状を有しているとともに、
前記収容空間の、前記開口部から最も奥側に位置する天面を平面視した場合における前記天面の寸法が、前記積層体を構成する前記正極部材、前記負極部材、および前記セパレータを平面視した場合における寸法の最も小さいものの、前記天面の寸法を求めた方向と同一方向の寸法と同等であり、
前記収容空間の、前記開口部を平面視した場合における前記開口部の寸法が、前記積層体を構成する前記正極部材、前記負極部材、および前記セパレータを平面視した場合における寸法の最も大きいものの、前記開口部の寸法を求めた方向と同一方向の寸法と同等であること
を特徴とする電池。
【請求項２】
前記積層体を構成する前記正極部材、前記負極部材、および前記セパレータのうち、前記寸法の最も小さいものが正極部材であることを特徴とする請求項１記載の電池。
【請求項３】
請求項１の電池において規定されているような収容空間が形成された一対のラミネートシートが、開口部どうしが互いに対向するような態様で組み合わされることにより形成された結合収容空間を有する外装体を備え、前記結合収容空間に前記積層体が収容されていることを特徴とする請求項１または２記載の電池。
【国際調査報告】
2014091887.tif 000009
2014091887.tif 000010
2014091887.tif 000011
2014091887.tif 000012